(57)【要約】【課題】偏光面の制御により外来光の反射を低減する光学フィルムに関して、配置対象物の可撓性を損なわないようにする。【解決手段】光学フィルム３の製造方法は、１／２波長板用位相差層９と、１／２波長板用配向膜１３と、１／４波長板用位相差層８とを少なくとも有し、これらが順に積層された多層構造による転写層を、支持体基材２１と１／４波長板用配向膜２３との積層体による支持体上に形成して転写体を形成する転写体の製造工程と、透明基材１５に直線偏光板としての機能を担う光学機能層１６を形成する直線偏光板５の製造工程と、前記光学機能層１６に、前記転写体を、前記１／２波長用位相差層を前記光学機能層側として積層し、前記支持体を剥離して前記転写層を転写する転写工程と、を備えるものとした。【選択図】図４
2018005258.tif 000002
【特許請求の範囲】
【請求項１】
偏光面の制御により外来光の反射を低減する光学フィルムの製造方法において、
透過光に１／２波長分の位相差を付与する１／２波長板用位相差層と、前記１／２波長板用位相差層に係る１／２波長板用配向膜と、透過光に１／４波長分の位相差を付与する１／４波長板用位相差層とを少なくとも有し、これらが順に積層された多層構造による転写層を、支持体基材と前記１／４波長板用位相差層に係る１／４波長板用配向膜との積層体である支持体上に前記１／４波長板用位相差層が前記１／４波長板用配向膜上となるように形成して転写体を形成する転写体の製造工程と、
透明基材に、直線偏光板としての機能を担う光学機能層を形成する直線偏光板の製造工程と、
前記直線偏光板の前記光学機能層に、前記転写体の製造工程で生産した前記転写体を、前記１／２波長用位相差層を前記光学機能層側として積層し、前記支持体を剥離して前記転写層を転写する転写工程とを備える
光学フィルムの製造方法。
【発明の詳細な説明】
【技術分野】
【０００１】
本発明は、例えば画像表示パネルに配置して、偏光面の制御により外来光の反射を低減する光学フィルムの製造方法に関するものである。
【背景技術】
【０００２】
従来、画像表示パネル等に関して、画像表示パネルの出射面に光学フィルムを配置し、この光学フィルムによる偏光面の制御により外来光の反射を低減する方法が提案されている。この光学フィルムは、直線偏光板、円偏光板により構成され、画像表示パネルのパネル面に向かう外来光を直線偏光板により直線偏光に変換し、続く円偏光板により円偏光に変換する。ここでこの円偏光による外来光は、画像表示パネルの表面等で反射するものの、この反射の際に偏光面の回転方向が逆転する。その結果、この反射光は、到来時とは逆に、円偏光板より、直線偏光板により遮光される方向の直線偏光に変換された後、続く直線偏光板により遮光され、その結果、外部への出射が著しく抑制される。
【０００３】
この光学フィルムに関して、特許文献１等には、１／２波長板、１／４位相差板を組み合わせて円偏光板を構成することにより、この光学フィルムを正の分散特性により構成する方法が提案されている。この方法の場合、カラー画像の表示に供する広い波長帯域において、正の分散特性により光学フィルムを構成することができる。
【０００４】
ところで有機ＥＬパネルを使用した画像表示装置においては、近年、可撓性を有するシート形状によるものが提供されつつある。このような可撓性を有するシート形状による画像表示装置では、例えば全体を外向きに折り曲げたり、これと逆向きに折り曲げたりした状態で、画像を表示することができ、従来に比して一段と画像表示装置の適用分野を拡大し得ると考えられる。
【０００５】
しかしながらこのように全体を外向きに折り曲げたり、これと逆向きに折り曲げたりした状態で画像表示する場合には、従来に比して格段的に外来光の反射を低減することが必要になる。これによりこのような可撓性を有するシート形状による画像表示装置においては、上述の光学フィルムを配置することにより、外来光による影響を有効に回避することが必要であると考えられる。特に有機ＥＬパネルでは、内部電極による外来光の反射が著しいことにより、この種の光学フィルムを適用することが望まれる。
【０００６】
しかしながら従来のこの種の光学フィルムを単純に可撓性を有するシート形状による画像表示パネルに適用したのでは、画像表示パネルの可撓性を著しく損なう問題がある。
【先行技術文献】
【特許文献】
【０００７】
【特許文献１】特開平１０−６８８１６号公報
【発明の概要】
【発明が解決しようとする課題】
【０００８】
本発明はこのような状況に鑑みてなされたものであり、偏光面の制御により外来光の反射を低減する光学フィルムに関して、配置対象物の可撓性を損なわないようにすること目的とする。
【課題を解決するための手段】
【０００９】
本発明者は、上記課題を解決するために鋭意研究を重ね、転写の手法を適用して光学フィルムを作成することにより、全体の厚みを薄くするようにして、下層側の配向膜を支持体側に含ませて転写層に含ませないようにする、との着想に至り、本発明を完成するに至った。
【００１０】
（１）  偏光面の制御により外来光の反射を低減する光学フィルムの製造方法において、
透過光に１／２波長分の位相差を付与する１／２波長板用位相差層と、前記１／２波長板用位相差層に係る１／２波長板用配向膜と、透過光に１／４波長分の位相差を付与する１／４波長板用位相差層とを少なくとも有し、これらが順に積層された多層構造による転写層を、支持体基材と前記１／４波長板用位相差層に係る１／４波長板用配向膜との積層体である支持体上に前記１／４波長板用位相差層が前記１／４波長板用配向膜上となるように形成して転写体を形成する転写体の製造工程と、
透明基材に、直線偏光板としての機能を担う光学機能層を形成する直線偏光板の製造工程と、
前記直線偏光板の前記光学機能層に、前記転写体の製造工程で生産した前記転写体を、前記１／２波長用位相差層を前記光学機能層側として積層し、前記支持体を剥離して前記転写層を転写する転写工程とを備える。
【００１１】
（１）によれば、転写法を適用して直線偏光板に円偏光板に係る光学機能層を設けることができ、これにより全体形状の厚みを薄くして十分な可撓性を確保することができる。また１／４波長板用位相差層に係る１／４波長板用配向膜が支持体側に含まれることにより、転写層から１／４波長板用配向膜に係る構成を除いて一段と厚みを薄くし、これにより十分な可撓性を確保することができる。
【発明の効果】
【００１２】
偏光面の制御により外来光の反射を低減する光学フィルムに関して、配置対象物の可撓性を損なわないようにすることができる。
【図面の簡単な説明】
【００１３】
【図１】本発明の第１実施形態に係る画像表示装置を示す図である。
【図２】図１の画像表示装置に設けられる光学フィルムの説明に供する図である。
【図３】図２の光学フィルムに適用される転写フィルムを示す図である。
【図４】図２の光学フィルムの製造工程を示す図である。
【図５】図３の転写フィルムの製造工程を示す図である。
【図６】図５の続きを示す図である。
【発明を実施するための形態】
【００１４】
以下、本発明の実施形態について図面を参照しながら説明する。
【００１５】
〔第１実施形態〕
図１は、本発明の第１実施形態に係る画像表示装置を示す図である。この画像表示装置１では、画像表示パネル２のパネル面に、光学フィルム３が配置される。画像表示パネル２は、可撓性を有するシート形状による有機ＥＬパネルであり、所望のカラー画像を表示する。
【００１６】
光学フィルム３は、偏光面の制御により、画像表示パネル２に到来する外来光の反射を抑圧する光学フィルムである。このため光学フィルム３は、直線偏光板５、円偏光板６を積層して構成される。光学フィルム３は、図示しないセパレータフィルムを剥離して感圧接着剤による粘着層４を露出させた後、この粘着層４により、画像表示パネル２のパネル面に貼り付けられて保持される。また直線偏光板５及び円偏光板６は、粘着層７を介して一体化される。
【００１７】
円偏光板６は、透過光に１／４波長分の位相差を付与して１／４位相差板として機能する部位８（１／４波長板用位相差層と呼ぶ）と、透過光に１／２波長分の位相差を付与して１／２位相差板として機能する部位９（１／２波長板用位相差層と呼ぶ）との積層体により構成される。これにより円偏光板６は、カラー画像の表示に供する広い波長帯域で円偏光版としての特性を確保し、光学フィルム３は、広い波長帯域で十分に外来光の反射を抑圧する。
【００１８】
これらにより画像表示装置１では、画像表示パネル２の表示画面側より、順次、１／４波長板用位相差層８、１／２波長板用位相差層９、直線偏光板５が配置される。また図２に示すように、矢印により示す直線偏光板５の透過軸又は吸収軸に対して、１／２波長板用位相差層９及び１／４波長板用位相差層８の遅相軸（それぞれ矢印により示す）が、それぞれ反時計回り又は時計回りに１３〜１７度の範囲、７１〜７６度の範囲で角度を成すように配置される。なおこの角度は、それぞれが反時計回り又は時計回りに１４〜１６度、７２〜７４度で配置されることがより好ましい。
【００１９】
より具体的に、１／４波長板用位相差層８は、面内位相差（Ｒｅ）が１０５ｎｍ以上、１５０ｎｍ以下により作成され、１／２波長板用位相差層９は面内位相差（Ｒｅ）が２２０ｎｍ以上、２８５ｎｍ以下により作成される。なお１／４波長板用位相差層８は、面内位相差（Ｒｅ）が１１０ｎｍ以上、１３０ｎｍ以下により作成され、１／２波長板用位相差層９は面内位相差（Ｒｅ）が２３０ｎｍ以上、２５０ｎｍ以下により作成されることがより好ましい。これにより光学フィルム３は、直線偏光板５側より入射する可視光域波長域（４５０〜７５０ｎｍ）の透過光を、楕円率０．８以上の円偏光により出射する。
【００２０】
円偏光板６は、画像表示パネル２側に、１／４波長板用位相差層８が設けられる。ここで１／４波長板用位相差層８は、屈折率異方性を保持した状態で固化（硬化）された液晶材料により形成される。円偏光板６は、後述する転写体において１／４波長板用賦型樹脂層に微細な凹凸形状が作成されて１／４波長板用配向膜が形成され、この１／４波長板用配向膜の配向規制力により液晶材料がパターンニングされて１／４波長板用位相差層８が形成される。
【００２１】
また続いて円偏光板６は、１／２波長板用賦型樹脂層１２、１／２波長板用配向膜１３、１／２波長板用位相差層９が順次設けられる。１／２波長板用賦型樹脂層１２は、微細な凹凸形状の賦型に供する賦型用樹脂層であり、この実施形態ではこの賦型用樹脂に紫外線硬化性樹脂が適用される。なおこの紫外線硬化性樹脂については、例えばアクリル系等、賦型処理に供する各種の樹脂を広く適用することができる。１／２波長板用賦型樹脂層１２は、賦型処理により表面に微細な凹凸形状が形成され、円偏光板６は、この１／２波長板用賦型樹脂層１２の表面形状により１／２波長板用配向膜１３が形成される。１／２波長板用位相差層９は、屈折率異方性を保持した状態で固化（硬化）された液晶材料により形成され、円偏光板６は、この液晶材料の配向を１／２波長板用配向膜１３の配向規制力によりパターンニングする。
【００２２】
ここでこれら１／２波長板用配向膜１３及び１／４波長板用配向膜に係る微細な凹凸形状は、一方向に延長するライン状（線）の凹凸形状により形成され、位相差層８、９における遅相軸の設定に対応するように、この一方向に延長する方向が直線偏光板５の透過軸に対して、それぞれ反時計回り又は時計回りに約１５度、約７３度の角度を成すように作成される。
【００２３】
直線偏光板５は、ＴＡＣ（トリアセチルセルロース）等の透明フィルムからなる基材１５の下面側が鹸化処理された後、光学機能層１６が配置される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００２４】
光学機能層１６は、直線偏光板としての光学的機能を担う部位であり、例えばポリビニルアルコール（ＰＶＡ）によるフィルム材に、ヨウ素化合物分子を吸着配向させて作製される。
【００２５】
しかして光学フィルム３の円偏光板６に係る構成において、１／４波長板用位相差層８、１／２波長板用位相差層９は、それぞれ液晶性材料を用いることにより、それぞれ厚み１μｍ、２μｍ程度により作成することができる。なおこの位相差層８、９の材料は、液晶性を有する材用であれば、円盤状液晶、棒状液晶等を適宜適用できる。液晶性材料の正面リタデーション（Ｒｅ）の波長分散性は４５０ｎｍ、５５０ｎｍ、６５０ｎｍにおけるＲｅをそれぞれＲｅ（４５０）、Ｒｅ（５５０）、Ｒｅ（６５０）とすると、Ｒｅ（４５０）／Ｒｅ（５５０）を１．２以下に、Ｒｅ（６５０）／Ｒｅ（５５０）を０．９以上にすることが好ましい。また賦型樹脂層１２は、厚み２μｍ程度、粘着層４は、厚み１５μｍ以下により作成することができる。また直線偏光板５に係る構成において、基材１５は、厚み３０μｍ程度により構成することができ、光学機能層１６は、厚み２０μｍ以下により構成することができる。また粘着層７は、厚み１５μｍ程度により構成することができる。これらにより光学フィルム３は、全体として厚みを８５μｍ以下により十分に薄く作成することができる。これにより光学フィルム３は、十分な可撓性を確保することができる。
【００２６】
ここでこの実施形態に係る画像表示パネル２にあっては、可撓性を有するシート形状であることにより、光学フィルム３は、画像表示パネル２に比して格段的に可撓性を有していると言える。しかしながらこの種の光学フィルム３においては、画像表示パネル以外の、著しく曲率の大きな部材に配置される場合も予測され、この場合には一段と可撓性が求められる。
【００２７】
そこで光学フィルム３について、それぞれＪＩＳ  Ｋ５６００−５−１に規定の円筒形マンドレル試験により耐屈曲性を試験した。試験した結果によれば、光学フィルム３の場合、マンドレルの直径が３ｍｍの場合であっても、表面に、割れ及びはがれ等が発生しないことが確認された。これによりこの直径３ｍｍによる耐屈曲性の試験を満足することが判った。ここでこの程度の耐屈曲性を備えている場合には、配置対象物が可撓性を有するシート形状による画像表示パネルであっても、十分に配置対象物の可撓性を損なわないことを確認することができた。また配置対象が一段と大きな曲率を備えた部材であっても、光学フィルム３を損傷しないで配置することができる。
【００２８】
〔転写体〕
光学フィルム３は、粘着層７を介してこれら円偏光板６、直線偏光板５が一体化され、この一体化の処理に、転写法が適用される。
【００２９】
ここで転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００３０】
この実施形態では、直線偏光板５に、円偏光板６に係る層構成を転写法により積層する。従って被転写基材は、直線偏光板５である。転写に供する層（転写層）は、１／４波長板用位相差層８、１／２波長板用賦型樹脂層１２、１／２波長板用配向膜１３、１／２波長板用位相差層９の積層体である。
【００３１】
図３は、この転写体である転写フィルムの構成を示す図である。転写フィルム２０は、支持体基材２１上に、順次、円偏光板６に係る１／４波長板用賦型樹脂層２２、１／４波長板用配向膜２３、１／４波長板用位相差層８、１／２波長板用賦型樹脂層１２、１／２波長板用配向膜１３、１／２波長板用位相差層９が設けられる。
【００３２】
ここで支持体基材２１は、転写に供する層（転写層）を剥離可能に担持し、転写層を被転写基材上に接着、積層した後は、適宜時機に剥離、除去に供される基材である。この実施形態では、透明フィルム材であるＰＥＴ（Polyethylene  terephthalate）フィルムが適用され、これにより転写フィルム２０は、光学特性を検査可能に構成される。なおＰＥＴフィルムは、コロナ処理され、続く１／４波長板用賦型樹脂層２２との間で十分な密着力が確保される。なお支持体基材２１は、全体の形状をシート形状としても良い。また支持体基材２１は、ポリエチレンテレフタレート、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。なお支持体基材２１の厚みは、２０〜１００μｍである。
【００３３】
１／４波長板用賦型樹脂層２２は、微細な凹凸形状の賦型に供する賦型用樹脂層であり、この実施形態ではこの賦型用樹脂に紫外線硬化性樹脂が適用される。なおこの紫外線硬化性樹脂については、例えばアクリル系等、賦型処理に供する各種の樹脂を広く適用することができる。１／４波長板用賦型樹脂層２２は、支持体基材２１の上に、紫外線硬化性樹脂の塗付液を塗付して作成される。
【００３４】
１／４波長板用配向膜２３は、微細凹凸形状を周側面に形成した賦型用金型（ロール版）を用いた賦型処理により、この１／４波長板用賦型樹脂層２２の表面に微細な凹凸形状が形成されて作成される。しかして光学フィルム３について（図１）上述した１／４波長板用位相差層８は、１／４波長板用配向膜２３上に、液晶材料を塗付して硬化させることにより作成される。
【００３５】
１／２波長板用賦型樹脂層１２は、１／４波長板用位相差層８の上に、１／４波長板用賦型樹脂層２２と同様に、紫外線硬化性樹脂の塗付液を塗付して作成され、１／２波長板用配向膜１３は、１／４波長板用配向膜２３と同様に、賦型用金型を用いて１／２波長板用賦型樹脂層１２を賦型処理して作成される。１／２波長板用位相差層９は、１／２波長板用配向膜１３上に、液晶材料を塗付して硬化させることにより作成される。
【００３６】
さらに転写フィルム２０は、転写層の上に、粘着層７、セパレータフィルム２４が設けられる。
【００３７】
ここで粘着層７は、転写層と被転写基材とを接着するための層である。転写層の材料と被転写基材の材料に応じて、両者に密着性の高い材料が適用される。この実施形態では、アセチルセルロース（酢酸纖維素）、ニトロセルロース（硝酸纖維素又は硝化綿）、セルロースアセテートプロピオネート等のセルロース（纖維素）系樹脂、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂、ウレタン樹脂、ポリエステル樹脂、塩化ビニル−酢酸ビニル共重合体、アイオノマー、天然又は合成ゴム等の材料が用いられる。接着剤層の厚みは、１〜３０μｍ程度である。
【００３８】
セパレータフィルム２４は、粘着層７の表面を離型可能に被覆する離型シートである。セパレータフィルム２４は、粘着層７が露出して不要な物品と不要な接着をすることを防止するために設けられ、転写の直前に剥離除去される。
【００３９】
ここでこのように順次、１／４波長板用賦型樹脂層２２、１／４波長板用配向膜２３、１／４波長板用位相差層８、１／２波長板用賦型樹脂層１２、１／２波長板用配向膜１３、１／２波長板用位相差層９を積層して作成される転写フィルム２０において、１／４波長板用賦型樹脂層２２、１／４波長板用配向膜２３及び１／２波長板用賦型樹脂層１２、１／２波長板用配向膜１３は、それぞれ１／４波長板用位相差層８及び１／２波長板用位相差層９を作成するための構成と言え、円偏光板６は、１／４波長板用位相差層８及び１／２波長板用位相差層９だけあれば光学的には十分に機能することになる。
【００４０】
これにより円偏光板６の光学的機能を担保する上で、１／４波長板用賦型樹脂層２２、１／４波長板用配向膜２３、１／２波長板用賦型樹脂層１２、１／２波長板用配向膜１３は不要な層であると言える。しかしながら１／２波長板用賦型樹脂層１２、１／２波長板用配向膜１３は、１／４波長板用位相差層８及び１／２波長板用位相差層９を保持する層間の部材としての機能も有する。
【００４１】
これによりこの実施形態では、転写に供する転写層を、１／４波長板用位相差層８、１／２波長板用賦型樹脂層１２、１／２波長板用配向膜１３、１／２波長板用位相差層９に設定し、支持体には、支持体基材２１、１／４波長板用賦型樹脂層２２、１／４波長板用配向膜２３が割り当てられる。またこれにより支持体側の構成にあっては、直線偏光板５への転写の際に、その一部でも転写層と共に直線偏光板５側に転写（移行）しないように、また転写層にあっては、その一部でも支持体側に取り残されないように構成される。
【００４２】
具体的に、１／４波長板用賦型樹脂層２２にあっては、その表面形状が、１／４波長板用配向膜２３として十分に機能し、かつ支持体を転写層から剥離する際に、離型層として十分に機能するように構成される。これにより１／４波長板用賦型樹脂層２２は、１／４波長板用配向膜２３を形成した状態で、支持体基材２１との密着性は高く（剥離性は低く）、転写層の最下層である１／４波長板用位相差層８との密着性は低い（剥離性は高い）材料が適用される。またさらに、転写フィルム２０に形成される他の層間の密着力に比して、１／４波長板用位相差層８との間の密着力が十分に小さい材料が適用される。
【００４３】
１／４波長板用賦型樹脂層２２、１／４波長板用位相差層８、１／２波長板用賦型樹脂層１２、１／２波長板用位相差層９には、賦型処理に供する紫外線硬化性樹脂、光学フィルムに供される液晶材料からこれらの条件を満足する材料が選択されて、又はこれらの条件を満足するように調製されて適用される。
【００４４】
なおこのような各材料の選定、調整に代えて、別途、１／４波長板用賦型樹脂層２２の表面に、離型層を設けるようにしてもよい。このような離型層としては、例えば、シリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物を適用することができる。
【００４５】
また離型層による剥離性が不十分な場合、離型層の支持体側に剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物が用いられる。
【００４６】
〔光学フィルムの製造工程〕
図４は、光学フィルム３の製造工程を示す図である。この製造工程３０は、直線偏光板５に係る鹸化処理が実行された基材１５、光学機能層１６に係るフィルム材が供給ロール３１、３２により提供される。また転写フィルム２０が供給リール３３により提供される。この工程３０は、供給リール３３から転写フィルム２０を引き出し、剥離ロール３４によりセパレータフィルム２４を剥離して粘着層７を露出させる。なお剥離したセパレータフィルム２４は、巻き取りリール３６に巻き取られる。
【００４７】
この工程は、供給ロール３１、３２からそれぞれ基材１５、光学機能層１６に係るフィルム材を引き出し、セパレータフィルム２４を剥離した転写フィルム２０と積層し、押圧ローラ３８Ａ、３８Ｂにより押圧する。これによりこの工程３０は、基材１５、光学機能層１６、転写層を一体化する。
【００４８】
続いてこの工程３０は、剥離ローラ３９により支持体（支持体基材２１、１／４波長板用賦型樹脂層２２）を剥離する。なお剥離した支持体は、巻き取りロール４０に巻き取られる。また続いて粘着層４に係る粘着剤を塗付した後、供給リール４１より供給されるセパレータフィルム４２を加圧ローラ４３Ａ、４３Ｂにより貼り付け、巻き取りリール４４に巻き取る。
【００４９】
〔転写フィルムの製造工程〕
図５及び図６は、転写フィルム２０の製造工程を示す略線図である。この製造工程５０は、支持体基材２１を供給リール５１から引き出し、ダイ５２により紫外線硬化樹脂の塗布液を塗布する。この製造工程５０において、ロール版５３は、１／４波長板用配向膜２３に係る微細凹凸形状が周側面に形成された賦型用金型である。製造工程５０は、紫外線硬化樹脂が塗布された支持体基材２１を加圧ローラ５４によりロール版５３に押圧し、高圧水銀燈からなる紫外線照射装置５５による紫外線の照射により紫外線硬化樹脂を硬化させる。これにより製造工程５０は、ロール版５３の周側面に形成された凹凸形状を支持体基材２１に転写する。その後、剥離ローラ５６によりロール版５３から硬化した紫外線硬化性樹脂と共に支持体基材２１を剥離し、ダイ５９により液晶材料を塗布する。またその後、紫外線照射装置５７による紫外線の照射により液晶材料を硬化させた後、巻き取りリール５８に巻き取る。この一連の処理により支持体基材２１の上に、１／４波長板用賦型樹脂層２２、１／４波長板用配向膜２３、１／４波長板用位相差層８が形成される。
【００５０】
続いて図６に示すように、転写フィルムの製造工程は、続く製造工程６０において、巻き取りリール５８から巻き取った支持体基材２１を引き出し、ダイ６２により紫外線硬化樹脂の塗布液を塗布する。この製造工程６０において、ロール版６３は、１／２波長板用配向膜１３に係る微細凹凸形状が周側面に形成された賦型用金型である。製造工程６０は、紫外線硬化樹脂が塗布された支持体基材２１を加圧ローラ６４によりロール版６３に押圧し、高圧水銀燈からなる紫外線照射装置６５による紫外線の照射により紫外線硬化樹脂を硬化させる。これにより製造工程６０は、ロール版６３の周側面に形成された凹凸形状を支持体基材２１に転写する。その後、剥離ローラ６６によりロール版５３から硬化した紫外線硬化性樹脂と共に支持体基材２１を剥離し、ダイ６９により液晶材料を塗布する。またその後、紫外線照射装置６７による紫外線の照射により液晶材料を硬化させた後、巻き取りリール６８に巻き取る。この工程６０の一連の処理により、支持体基材２１に形成された１／４波長板用賦型樹脂層２２、１／４波長板用配向膜２３、１／４波長板用位相差層８の上に、さらに１／２波長板用賦型樹脂層１２、１／２波長板用配向膜１３、１／２波長板用位相差層９が順次作成され、これらにより支持体基材２１の上に円偏光板６に係る構成が作成される。転写フィルムは、さらに粘着層７、セパレータフィルム２４が配置される。
【００５１】
以上の構成によれば、転写の手法を適用して光学フィルム３を作成することにより、光学フィルム３は、直線偏光板５側の１枚の基材１５により直線偏光板に係る光学機能層、１／２位相差板に係る光学機能層、１／４位相差板に係る光学機能層を一体に保持することができ、これにより構成を簡略化し、さらには全体形状を薄型化して十分な可撓性を確保することができる。またこのとき、下層側の１／４波長板用賦型樹脂層２２を支持体側の構成とすることにより、一段と全体形状を薄型化して可撓性を十分に確保することができる。
【００５２】
〔他の実施形態〕
以上、本発明の実施に好適な具体的な構成を詳述したが、本発明は、本発明の趣旨を逸脱しない範囲で、上述の実施形態の構成を種々に変更することができる。
【００５３】
すなわち上述の実施形態では、転写層側に粘着層を設けるようにして、この粘着層により直線偏光板と転写層とを一体化する場合について述べたが、本発明はこれに限らず、この粘着層を直線偏光板側に設けるようにしてもよい。
【００５４】
また上述の実施形態では、賦型用樹脂に紫外線硬化性樹脂を適用する場合について述べたが、本発明はこれに限らず、紫外線硬化性樹脂以外の各種賦型用樹脂を適用する場合、さらには加熱等により軟化させた基材を押し付けて賦型する場合等にも広く適用することができる。
【００５５】
また上述の実施形態では、ロール版により賦型処理する場合について述べたが、本発明はこれに限らず、平板により賦型処理する場合にも広く適用することができる。
【００５６】
また上述の実施形態では、賦型処理により配向膜を作成する場合について述べたが、本発明はこれに限らず、光配向の手法により配向膜を作成する場合にも広く適用することができる。なおこの場合、１／２位相板、１／４位相板の何れか一方のみを光配向膜により作成してもよく、双方を光配向膜により作成してもよい。
【００５７】
また上述の実施形態では、ロール材の連続した処理により粘着層４、セパレータの配置を配置する場合について述べたが、本発明はこれに限らず、別途、光学フィルムをシート形状により切り出した後に配置するようにしてもよい。
【００５８】
また上述の実施形態では、可撓性を有するシート形状による画像表示パネルに光学フィルムを配置する場合について述べたが、本発明はこれに限らず、液晶表示パネル等による一般の画像表示装置に適用する場合、さらには各種の部材に配置して反射防止を図る場合に広く適用することができる。
【符号の説明】
【００５９】
１  画像表示装置
２  画像表示パネル
３  光学フィルム
４、７  粘着層
５  直線偏光板
６  円偏光板
８  １／４波長板用位相差層
９  １／２長板用位相差層
１２  １／２波長板用賦型樹脂層
１３  １／２波長板用配向膜
１５  基材
１６  光学機能層
２０  転写フィルム
２１  支持体基材
２２  １／４波長板用賦型樹脂層
２３  １／４波長板用配向膜
２４、４２  セパレータフィルム
３０、５０、６０  製造工程
３１、３２、３３、４１、５１  供給リール
３４  剥離ロール
３６、４０、４４、５８、６８  巻き取りリール
３８Ａ、３８Ｂ  押圧ローラ
３９  剥離ローラ
４３Ａ、４３Ｂ、５４、６４  加圧ローラ
５２、５８、６２、６９  ダイ
５３、６３  ロール版
５５、５７、６５、６７  紫外線照射装置
５６、６６  剥離ローラ
【図１】
2018005258.tif 000003
【図２】
2018005258.tif 000004
【図３】
2018005258.tif 000005
【図４】
2018005258.tif 000006
【図５】
2018005258.tif 000007
【図６】
2018005258.tif 000008